(57)【要約】【課題】組み付け時の作業性が良好なコネクタを提供することにある。【解決手段】係合突起２７は、突当壁部２８に設けられた収容凹部３０において、端縁２９からやや後退した位置に設けられている。そして、収容凹部３０の底面において端縁２９と係合突起２７とに挟まれた部分は、相手側半割部品２１のロックアーム２６が当接される仮保持面３２とされている。このような構成によれば、一対の半割部品２１の組み付け初期の状態において、ロックアーム２６が係合突起２７に乗り上げる前に仮保持面３２と当たり合うことで、両半割部品２１の姿勢安定化が図られる。したがって、両半割部品２１が従来のような傾斜姿勢で組み付くような状況が緩和され、作業の円滑化が達成される。【選択図】  図４
2004172067.tif 000002
【特許請求の範囲】
【請求項１】
後端面から電線を延出させたコネクタハウジングと、このコネクタハウジングの後端部に前記電線を包囲するように取り付けられる筒状のカバーとを備えてなり、
前記カバーは、一対の半割部品を備え、かつこれらに設けられた一対の突当壁部の端縁同士を突き合わせた状態で互いに組み付けることにより構成されているコネクタであって、
前記両半割部品における両突当壁部には、少なくとも一対の係合突起が対角位置に配されるとともに、他の対角位置であって前記係合突起と対応する位置には、前記両半割部品の組み付けに際して前記係合突起を乗り越えて係止することにより前記両半割部品の離間を規制する一対の係止片が設けられるとともに、
前記係合突起は、前記突当壁部における前記端縁から前記半割部品同士の組み付け方向に沿って後退した位置に設けられることで、前記突当壁部の外面であって前記端縁と前記係合突起とに挟まれた部分は、前記半割部品の組み付けに際して前記係止片が前記係合突起に至る前に前記係止片を支持することによって一対の前記半割部品の組み付け姿勢を正規姿勢に保持する仮保持面とされていることを特徴とするコネクタ。
【請求項２】
前記突当壁部には、前記半割部品同士の組み付けに際し、前記係止片を前記両半割部品の組み付け方向に沿って案内するためのガイド部が設けられていることを特徴とする請求項１に記載のコネクタ。
【請求項３】
前記突当壁部の外面には、前記端縁側が開口しその内部に前記係合突起を配してなる収容凹部が凹み形成される一方、
前記係止片は前記両半割部品同士の組み付け時に前記収容凹部の内面と摺接可能となる高さ位置に形成され、前記両半割部品の組付け後には前記収容凹部内に嵌合可能となっていることを特徴とする請求項１又は請求項２に記載のコネクタ。
【請求項４】
前記突当壁部の外面には、前記端縁側が開口しその内部に前記係合突起を配してなる収容凹部が凹み形成される一方、
前記係止片は前記両半割部品同士の組み付け時に前記収容凹部の内面と摺接可能となる高さ位置に形成され、前記両半割部品の組み付け後には前記収容凹部内に嵌合可能となっており、
かつ、前記ガイド部は前記収容凹部の内側壁にて形成されることを特徴とする請求項２記載のコネクタ。
【発明の詳細な説明】
【０００１】
【発明の属する技術分野】
本発明は、コネクタハウジングから延出した電線をカバーで保護するようにしたコネクタに関するものである。
【０００２】
【従来の技術】
従来、コネクタハウジングから延出した電線をカバーで保護するようにしたコネクタとしては、特開平１０−２７６４５号公報に示すものがある（特許文献１参照）。このものは、全体として角筒体を半割にした形状をなす一対の半割部品からなるカバーを備えている。
【０００３】
半割部品の組付け時に互いに突き当てられる上下２辺の突当壁部には、係合部と受け部とが形成されている。一対の係合部は対角位置に配され、一対の受け部は、他の対角位置であって係合部と対応する位置に設けられている。
【０００４】
カバーをコネクタハウジングに取り付ける際には、一対の半割部品を互いに軸回りに反転した位置関係となるようにしてコネクタハウジングの後端部に対して横から嵌めるようにする。すると、係合部が、互いに相手側半割部品の受け部を乗り越えて係止されることにより、両半割部品が嵌合し、筒状のカバーとして組み付けられる。
【０００５】
【特許文献１】
特開平１０−２７６４５号公報
【０００６】
【発明が解決しようとする課題】
ところが、このようなコネクタでは、次のような問題点があった。
両半割部品の組み付けに当たっては、まず対応する関係にある係合部と受け部とを適合させつつ突き当て、この状態を保持したまま半割部品相互を真っ直ぐに接近させる。この間、係合部は拡開方向へ撓み変形して受け部へ乗り上げ、通過後には弾性復帰して受け部との係止がなされる。
【０００７】
しかし、従来のものでは半割部品同士を接近させる際に、係合部を正しく受け部上へ乗り上げ変形させることができない場合があった。具体的には、図１０、図１１に示すように、係合部１０２を受け部１０３に突き当てた状態で半割部品１０１に押し込み力を付加すると、半割部品１０１同士が傾斜姿勢となってしまうことがある。このときには、係合部１０２は撓み変形することなく受け部１０３を斜めに乗り上げて半割部品１０１同士を突き当て状態に至らしめるが、係合部１０２と受け部１０３とは係止状態とはならない。
【０００８】
このような斜め組付けが生じる原因は、従来のものでは受け部１０３の設けられる位置が、半割部品１０１同士の相互の突き当て縁に面した箇所であることから、半割部品１０１の組付けにあたり、係合部１０２はいきなり受け部１０３を乗り越えようとするため、半割部品１０１同士の組付け姿勢が不安定化しやすい。したがって、係合部１０２は受け部１０３を乗り越えてゆくにあたり、撓み変形を伴う抵抗の大きい状態を経るより、撓みを伴わないより抵抗の小さい状態を経る、つまり半割部品１０１同士を傾斜姿勢で組み付き易くしてしまう傾向にあった。
【０００９】
本発明は、上記した事情に鑑みてなされたものであり、その目的は、組み付け時の作業性が良好なコネクタを提供することにある。
【００１０】
【課題を解決するための手段】
上記の課題を解決するために請求項１の発明に係るコネクタは、後端面から電線を延出させたコネクタハウジングと、このコネクタハウジングの後端部に前記電線を包囲するように取り付けられる筒状のカバーとを備えてなり、前記カバーは、一対の半割部品を備え、かつこれらに設けられた一対の突当壁部の端縁同士を突き合わせた状態で互いに組み付けることにより構成されているコネクタであって、前記両半割部品における両突当壁部には、少なくとも一対の係合突起が対角位置に配されるとともに、他の対角位置であって前記係合突起と対応する位置には、前記両半割部品の組み付けに際して前記係合突起を乗り越えて係止することにより前記両半割部品の離間を規制する一対の係止片が設けられるとともに、前記係合突起は、前記突当壁部における前記端縁から前記半割部品同士の組み付け方向に沿って後退した位置に設けられることで、前記突当壁部の外面であって前記端縁と前記係合突起とに挟まれた部分は、前記半割部品の組み付けに際して前記係止片が前記係合突起に至る前に前記係止片を支持することによって一対の前記半割部品の組み付け姿勢を正規姿勢に保持する仮保持面とされていることを特徴とする。
【００１１】
請求項２の発明は、請求項１に記載のコネクタであって、前記突当壁部には、前記半割部品同士の組み付けに際し、前記係止片を前記両半割部品の組み付け方向に沿って案内するためのガイド部が設けられていることを特徴とする。
【００１２】
請求項３の発明は、請求項１又は請求項２に記載のコネクタであって、前記突当壁部の外面には、前記端縁側が開口しその内部に前記係合突起を配してなる収容凹部が凹み形成される一方、前記係止片は前記両半割部品同士の組み付け時に前記収容凹部の内面と摺接可能となる高さ位置に形成され、前記両半割部品の組付け後には前記収容凹部内に嵌合可能となっていることを特徴とする。
【００１３】
請求項４の発明は、請求項２記載のコネクタであって、前記突当壁部の外面には、前記端縁側が開口しその内部に前記係合突起を配してなる収容凹部が凹み形成される一方、前記係止片は前記両半割部品同士の組み付け時に前記収容凹部の内面と摺接可能となる高さ位置に形成され、前記両半割部品の組み付け後には前記収容凹部内に嵌合可能となっており、かつ、前記ガイド部は前記収容凹部の内側壁にて形成されることを特徴とする。
【００１４】
【発明の作用及び効果】
請求項１の発明によれば、係合突起が突当壁部の端縁から後退した位置に設けられることで、突当壁部の外面において端縁と係合突起とに挟まれた部分は、前記半割部品の組み付けに際して前記係止片が前記係合突起に至る前に前記係止片を支持することによって一対の半割部品の組み付け姿勢を正規姿勢に保持する仮保持面とされている。このような構成によれば、半割部品の組み付け初期の状態において、係止片が係合突起に乗り上げる前に突当壁部の仮保持面と当たり合うことで、両半割部品の姿勢安定化を図りうる。したがって、従来のような傾斜姿勢で組み付くような状況が緩和され、作業の円滑化が達成される。
【００１５】
請求項２の発明によれば、突当壁部には、半割部品の組み付け方向に沿って係止片を案内するためのガイド部が設けられている。このような構成によれば、突当壁部における壁面に沿った方向への係止片のずれも規制できるから、両半割部品が傾斜姿勢となることを確実に防止でき、組み付け作業を円滑に行うことができる。
【００１６】
請求項３の発明によれば、半割部品には、内部に係合突起を配してなる収容凹部が凹み形成され、係止片はこの収容凹部内に嵌合される。つまり、突当壁部の肉厚寸法内に係止片と収容凹部との嵌合代を重複させることができる。したがって、半割部品同士が組付けられた状態における外形寸法を小さくすることができる。
【００１７】
請求項４の発明によれば、半割部品には、内部に係合突起を配してなる収容凹部が凹み形成されるとともに、ガイド部はこの収容凹部の内側壁にて形成される。このように収容凹部の内側壁を利用してガイド部とすることができるため、構造の簡素化を図ることができる。
【００１８】
【発明の実施の形態】
以下、本発明のコネクタを具体化した一実施形態について、図１〜図９を参照しつつ詳細に説明する。
【００１９】
本実施形態のコネクタ１は、電線１２が接続されたターミナル（図示せず）を収容したコネクタハウジング１０と、一対の半割部品２１から構成されてコネクタハウジング１０に取り付けられるカバー２０とから構成されている（図１〜図３参照）。なお、以下の説明において、コネクタハウジング１０からの電線１２の延出方向（図２の上下方向）を前後方向とし、半割部品２１の組み付け方向（図２の左右方向）を左右方向とし、これらと交差する方向（図２の紙面に対して交差方向）を上下方向とする。
【００２０】
コネクタハウジング１０の後端面からは、ターミナルに接続された複数本の電線１２が延出されている。コネクタハウジング１０の後端部における左右両側面にはカバー２０を取り付けるための取付突部１１が形成されている。
コネクタハウジング１０から延出された電線１２は、蛇腹状をなすコルゲートチューブ４０内に挿通されている。これにより、電線１２が剥き出しにならずに保護されている。
【００２１】
カバー２０は、前後方向に開口された略角筒状をなし、電線１２のコネクタハウジング１０から延出している部分を包囲して保護するようになっている。このカバー２０は、一対の半割部品２１Ａ、２１Ｂからなる。この半割部品２１は、カバー２０を軸線方向に沿って半割した断面コの字状をなしている。一対の半割部品２１Ａ、２１Ｂは、同一形状をなし、互いに軸線回りに反転させた位置関係となった状態で組み付けられる。
【００２２】
半割部品２１の前端部内周にはコネクタハウジング１０の取付突部１１と嵌合する取付穴２２が貫通形成されている。この取付穴２２が取付突部１１に嵌合されることにより、半割部品２１即ちカバー２０のコネクタハウジング１０に対する取り付けが可能となっている。
【００２３】
半割部品２１の後端面はコルゲートチューブ４０を差し込むための半円形の切欠部２３となって開口し、両半割部品２１が組み付けられたときには切欠部２３相互が整合してコルゲートチューブ４０を挿通可能とされている。半割部品２１における切欠部２３寄りの内周には、コルゲートチューブ４０における蛇腹の溝４１に嵌合される係止板２４が、同一ピッチでかつ周方向に沿って形成されている。これらが嵌合した状態では、係止板２４が軸方向に係止することにより、コルゲートチューブ４０のカバー２０に対する軸方向への遊動が規制されるようになっている。
【００２４】
半割部品２１の組付け時に互いに突き当てられる上下２辺の突当壁部２８には、それぞれ上下一対のロックアーム２６（本発明の係止片に該当する）と、上下一対の係合突起２７とが形成されている。２つの係合突起２７は対角位置に配され、２つのロックアーム２６は、他の対角位置であって係合突起２７と対応する位置に配されている。すなわち、半割部品２１がコネクタハウジング１０の後端面に向かって右側に位置する場合（図１の半割部品２１Ａを参照）において、ロックアーム２６は、上側の突当壁部２８の後端位置と下側の突当壁部２８の前端近く位置とに配され、係合突起２７は、上側の突当壁部２８の前端近く位置と下側の突当壁部２８の後端位置とに配されている。
【００２５】
ロックアーム２６は、半割部品２１における突当壁部２８の端縁２９から、相手側半割部品２１との組み付け方向に沿って延出されている。このロックアーム２６は、左右にやや間隔を空けて配された一対のアーム部２６Ａと、これらのアーム部２６Ａ間を突出端側で連結する連結部２６Ｂとによって、全体としてコの字状に形成されており、コの字の内側に相手側半割部品２１の係合突起２７を収容できるようになっている。また、ロックアーム２６の下面の高さ位置は、端縁２９の肉厚の途中とされている。これにより、両半割部品２１が組み付けられる際に、ロックアーム２６が後述の収容凹部３０における底面に摺接しつつ進入するようになっている。
【００２６】
半割部品２１において、相手側半割部品２１のロックアーム２６に整合する位置には、このロックアーム２６を収容可能な収容凹部３０が凹設されている。この収容凹部３０は、端縁２９側に開口されており、ここから相手側半割部品２１のロックアーム２６が進入できるようになっている。
【００２７】
この収容凹部３０において、ロックアーム２６の進入方向に向かって左右両側縁には、一対のガイド壁３１が設けられている。このガイド壁３１は、収容凹部３０の左右の内側壁３０Ａに沿って立ち上げられるとともに、その奥端側が収容凹部３０の奥壁に沿って延設されて、全体としてＬ字状をなしている。このように、ガイド壁３１は、収容凹部３０の内側壁３０Ａと連続して形成されており、相手側半割部品２１のロックアーム２６が進入する際に、内側壁３０Ａとともにこのロックアーム２６を案内するガイド部の役割を果たしている。
【００２８】
係合突起２７は、収容凹部３０の底面において、端縁２９から両半割部品２１の組み付け方向にやや後退した位置に突設されている。そして、収容凹部３０の底面において係合突起２７と端縁２９とに挟まれた部分は、相手側半割部品２１におけるロックアーム２６の連結部２６Ｂが当接する仮保持面３２とされている。また、係合突起２７における端縁２９側の面は、前下がり状の傾斜面２７Ａとされており、ロックアーム２６の乗り上げ動作が円滑に行われるようになっている。
【００２９】
次に、上記のように構成された本実施形態の作用および効果について説明する。
【００３０】
カバー２０をコネクタハウジング１０に取り付ける際には、一対の半割部品２１Ａ、２１Ｂを互いに軸回りに反転した位置関係となるようにしてコネクタハウジング１０の後端部に対して横から嵌めるようにする。このとき、初めに一方の半割部品２１Ａだけについてその取付穴２２をコネクタハウジング１０の取付突部１１に仮嵌合させるとともに、その一方の半割部品２１Ａの係止板２４にコルゲートチューブ４０の溝４１を仮嵌合させておく。
【００３１】
そして、この状態から他方の半割部品２１Ｂをコネクタハウジング１０、上記一方の半割部品２１Ａ及びコルゲートチューブ４０に嵌め合わせる。このとき、まず、半割部品２１Ａ、２１Ｂにおけるロックアーム２６を収容凹部３０に進入させ、連結部２６Ｂの先端を互いに相手側半割部品２１Ａ、２１Ｂの収容凹部３０における仮保持面３２上に保持させつつ、両半割部品２１Ａ、２１Ｂを軽く嵌め合わせる。この状態では、ロックアーム２６の連結部２６Ｂが仮保持面３２に当接されることによって、両半割部品２１Ａ、２１Ｂが互いに正規の嵌合姿勢に保たれる（図４、図５参照）。
【００３２】
この状態で、他方の半割部品２１Ｂを一方の半割部品２１Ａ側に向かって押し込み、両半割部品２１Ａ、２１Ｂを嵌め合わせる（図６、図８参照）。このとき、ロックアーム２６は収容凹部３０の内側壁３０Ａおよびガイド壁３１に案内されて、真直ぐに収容凹部３０に進入するので、突当壁部２８における壁面に沿った方向へのロックアーム２６のずれが規制される。
【００３３】
半割部品２１Ｂの押し込みが進むと、双方の半割部品２１Ａ、２１Ｂにおけるロックアーム２６の連結部２６Ｂが係合突起２７の傾斜面２７Ａに乗り上げ、ロックアーム２６が拡開方向へ撓まされる。半割部品２１Ｂをさらに押し込んで行くと、ロックアーム２６の連結部２６Ｂが係合突起２７を乗り越えたところでロックアーム２６が弾性復帰して、連結部２６Ｂが係合突起２７に係合される。これにより、両半割部品２１Ａ、２１Ｂが離間不能に保持される。このとき、ロックアーム２６が係合突起２７に乗り上げる前に突当壁部２８の仮保持面３２に当接させることで、両半割部品２１Ａ、２１Ｂの姿勢安定化を図っているので、両半割部品２１Ａ、２１Ｂが互いに傾斜姿勢で組み付くような状況が緩和され、組み付け作業を円滑に行うことができる。
【００３４】
両半割部品２１Ａ、２１Ｂの組み付け終了状態では、ロックアーム２６は収容凹部３０内に嵌合された状態とされる。同時に、両半割部品２１Ａ、２１Ｂの取付穴２２が取付突部１１に嵌合されるとともに、係止板２４が溝４１に嵌合される。これにより、両半割部品２１Ａ、２１Ｂが筒状のカバー２０として組み付けられるとともに、このカバー２０がコネクタハウジング１０の後端部に取り付けられ、同時にカバー２０にコルゲートチューブ４０が取り付けられる（図７、図９参照）。
このようにして、カバー２０の取り付けが完了する。
【００３５】
以上のように本実施形態によれば、係合突起２７は、突当壁部２８に設けられた収容凹部３０において、端縁２９からやや後退した位置に設けられている。そして、収容凹部３０の底面において端縁２９と係合突起２７とに挟まれた部分は、相手側半割部品２１のロックアーム２６が当接される仮保持面３２とされている。このような構成によれば、一対の半割部品２１の組み付け初期の状態において、ロックアーム２６が係合突起２７に乗り上げる前に仮保持面３２と当たり合うことで、両半割部品２１の姿勢安定化が図られる。したがって、両半割部品２１が従来のような傾斜姿勢で組み付くような状況が緩和され、作業の円滑化が達成される。
【００３６】
また、半割部品２１における突当壁部２８の外面には、内部に係合突起２７を配してなる収容凹部３０が凹み形成される一方、ロックアーム２６はこの収容凹部３０の底面と摺接可能な高さ位置に形成され、両半割部品２１の組み付け後にはこの収容凹部３０内に嵌合される。このような構成によれば、突当壁部２８の肉厚寸法内にロックアーム２６と収容凹部３０との嵌合代を重複させることができる。したがって、半割部品２１同士が組付けられた状態における外形寸法を小さくすることができる。
【００３７】
さらに、この収容凹部３０において、ロックアーム２６の進入方向に向かって左右両側縁には、一対のガイド壁３１が外周方向に向かって突設されている。このガイド壁３１は、収容凹部３０の内側壁３０Ａと連続して形成されており、両半割部品２１Ａ、２１Ｂが組み付けられる際に、内側壁３０Ａとともに相手側半割部品２１Ａのロックアーム２６を案内するガイド部の役割を果たしている。このような構成によれば、突当壁部２８における壁面に沿った方向へのロックアーム２６のずれも規制できるから、両半割部品２１Ａ、２１Ｂの傾きを確実に防止でき、嵌め付け作業を円滑に行うことができる。
【００３８】
本発明の技術的範囲は、上記した実施形態によって限定されるものではなく、例えば、次に記載するようなものも本発明の技術的範囲に含まれる。その他、本発明の技術的範囲は、均等の範囲にまで及ぶものである。
（１）本発明はコルゲートチューブを用いないコネクタにも適用することができる。
（２）上記実施形態では、一対の半割部品は同一形状であったが、本発明によれば半割部品は必ずしも同一形状であることを要せず、異なる形状であっても良い。
（３）上記実施形態ではロックアームと係合突起が半割部品の外周面に形成されているが、本発明によれば、係止片と係合突起の形成位置は上記実施形態の限りではなく、例えば半割部品の内周面に形成されていても良い。
（４）上記実施形態では、ガイド壁３１を設けて、収容凹部３０の内側壁３０Ａとともにロックアーム２６の案内を行わせたが、本発明によればガイド部の構成は上記実施形態の限りではなく、収容凹部の内側壁のみで係止片の案内を行わせてもよい。また、半割部品に収容凹部を設けない構成とし、突当壁部の外面にガイド壁を突接させて、このガイド壁のみで係止片の案内を行わせてもよい。
【図面の簡単な説明】
【図１】本実施形態のコネクタの分解斜視図
【図２】カバーを組み付け前のコネクタを示す上面図
【図３】組み付け前のカバーの断面図
【図４】カバーを組み付け途中のコネクタを示す上面図
【図５】組み付け途中のカバーの断面図
【図６】カバーを組み付け後のコネクタを示す上面図
【図７】カバーを組み付け後のコネクタを示す側面図
【図８】組み付け後のカバーの断面図
【図９】組み付け後のカバーの側断面図
【図１０】従来のコネクタにおけるカバーを示す斜視図
【図１１】従来のコネクタにおけるカバーを示す側面図
【符号の説明】
１…コネクタ
１０…コネクタハウジング
１２…電線
２０…カバー
２１…半割部品
２６…ロックアーム（係止片）
２７…係合突起
２８…突当壁部
２９…端縁
３０…収容凹部
３０Ａ…内側壁
３１…ガイド壁（ガイド部）
３２…仮保持面
【図１】
2004172067.tif 000003
【図２】
2004172067.tif 000004
【図３】
2004172067.tif 000005
【図４】
2004172067.tif 000006
【図５】
2004172067.tif 000007
【図６】
2004172067.tif 000008
【図７】
2004172067.tif 000009
【図８】
2004172067.tif 000010
【図９】
2004172067.tif 000011
【図１０】
2004172067.tif 000012
【図１１】
2004172067.tif 000013